(57)【要約】  進歩した拒絶帯域および反射損失特性を備えて、デジタル加入者回線（ＤＳＬ）信号などの電気通信信号を調整およびスプリットするための装置。１つの態様では、本発明は、フィルタ、インピーダンス修正、およびより厳しい応用要求（例えば欧州）に適した動的スイッチング機能を有する進歩した回路を含む。１つの実施の形態では、フィルタは、ＲＬＣインピーダンス修正ネットワークにつながれた４次の楕円フィルタを含む。動的スイッチングは、例えばフィルタ電流に基づいて、複数のスイッチ要素を介して実行される。第２の実施の形態には、インピーダンス修正およびフィルタ回路を備えた非動的スプリッタが開示される。このような信号調整およびスプリッタ回路を採用する末端加入者システムについても述べられる。
2005510186.tif 000002
【特許請求の範囲】
【請求項１】
電気通信信号調整装置であって、
第１の電気通信回線とインタフェースを取るように適合した第１端子を有し、前記電気通信回線は第１および第２の成分を有する信号を搬送するのに適合し、
拡張デバイスとインタフェースを取るように適合した第２端子を有し、
前記第１端子と電気的に通信し、かつ前記信号の前記第２の成分に関する反射損失を変更するように適合したインピーダンス修正装置を有する、
電気通信信号調整装置。
【請求項２】
請求項１に記載の装置であって、更に、前記第１および第２端子と、前記インピーダンス修正装置と電気的に通信する信号フィルタ装置を含む装置。
【請求項３】
請求項２に記載の装置であって、前記フィルタ装置が４次の楕円フィルタを含む装置。
【請求項４】
請求項２に記載の装置であって、更に、少なくとも前記信号フィルタ装置と電気的に通信する動的スイッチング装置を有し、該動的スイッチング装置は前記信号フィルタ装置の構成を選択的に変更するように適合した装置。
【請求項５】
請求項２に記載の装置であって、前記動的スイッチング装置が、前記信号フィルタ装置内の少なくとも１つの回路要素に磁気的に結合している複数のリード・スイッチを含む装置。
【請求項６】
請求項４に記載の装置であって、前記信号フィルタ装置の構成の選択的変更は、前記信号フィルタ装置を流れる電流に応じて少なくとも部分的に決定される装置。
【請求項７】
請求項６に記載の装置であって、前記信号フィルタ装置の構成の選択的変更は、前記信号フィルタ装置を流れる電流に応じて少なくとも部分的に決定される装置。
【請求項８】
請求項６または７に記載の装置であって、前記フィルタ装置が４次の楕円フィルタを含む装置。
【請求項９】
請求項４に記載の装置であって、更に電圧保護装置を有し、該電圧保護装置は前記電気通信信号調整装置内に存在する過渡的電圧から前記動的スイッチング装置を保護するように適合した装置。
【請求項１０】
請求項９に記載の装置であって、前記電圧保護装置が、前記動的スイッチング装置の対応するものと電気的に並列に配された複数のツェナー・ダイオードを含む装置。
【請求項１１】
請求項２に記載の装置であって、前記インピーダンス修正装置が、少なくとも１つのＲＬＣ並列ネットワークを含む装置。
【請求項１２】
請求項１１に記載の装置であって、前記少なくとも１つのＲＣＬネットワークが予め決められた信号帯域内で正相インピーダンスを生成するように適合した装置。
【請求項１３】
請求項１２に記載の装置であって、前記予め決められた信号帯域がほぼ２−３ＫＨｚを含む装置。
【請求項１４】
請求項２または４に記載の装置であって、更に第３の端子セットを有し、該第３の端子セットは前記第１の端子セットと電気的に通信しており、かつ第２の電気通信回線とのインタフェースを取るように適合しており、前記第２の回線がｘＤＳＬモジュレータ／デモジュレータ装置とデータ通信を行う装置。
【請求項１５】
請求項４に記載の装置であって、前記信号フィルタ装置が複数のインダクタを含み、該インダクタの各々はそれぞれに対応するコイルを有する装置。
【請求項１６】
請求項４に記載の装置であって、前記信号フィルタ装置が二重ボビンで磁気的にシールドされた複数のインダクタを含む装置。
【請求項１７】
回路を流れるデジタル加入者回線（ＤＳＬ）信号を調整する方法であって、
前記信号の少なくとも一部をフィルタリングし、
前記回路のインピーダンスを選択的に調節して、前記信号の反射損失を変更する、工程
を含む方法。
【請求項１８】
請求項１７に記載の方法であって、更に、前記回路の少なくとも一部の容量を制御する工程を含む方法。
【請求項１９】
請求項１８に記載の方法であって、容量を制御する前記工程が、前記回路の少なくとも一部を流れる電流の大きさに基づいて容量を動的に変化させることを含む方法。
【請求項２０】
請求項１９に記載の方法であって、動的に変化させる前記工程が、前記回路内に配された複数のスイッチ要素を選択的に開閉することを含む方法。
【請求項２１】
請求項１８に記載の方法であって、前記フィルタリング工程が、４次の楕円フィルタを使って前記ＤＳＬ信号をフィルタリングすることを含む方法。
【請求項２２】
請求項１７に記載の方法であって、インピーダンスを調節する前記工程が、予め決められた信号帯域で正相インピーダンスを生成することを含む方法。
【請求項２３】
請求項２２に記載の方法であって、前記生成工程が、２−３ＫＨｚ信号帯域で正相インピーダンスを生成することを含む方法。
【請求項２４】
回路を流れるデジタル加入者回線（ＤＳＬ）信号を調整する方法であって、
前記信号の少なくとも一部をフィルタリングし、
前記フィルタリング工程の一部として、前記回路の少なくとも一部を流れる電流の大きさの少なくとも一部分に基づいて前記回路の容量を動的に変化させる、工程を含む方法。
【請求項２５】
請求項２４に記載の方法であって、更に、前記回路のインピーダンスを選択的に調節して、前記信号の反射損失を変化させることを含む方法。
【請求項２６】
請求項２５に記載の方法であって、前記フィルタリング工程が、４次の楕円フィルタを使って前記信号をフィルタリングすることを含む方法。
【請求項２７】
少なくとも第１と第２の信号成分を有する電気通信信号と一緒に使用するための信号スプリッタ装置であって、
前記電気通信信号をフィルタリングするように適合したフィルタ装置と、
前記入力フィルタ装置と電気的に通信し、かつ前記信号の前記第２の信号成分に付随する反射損失を制御するように適合したインピーダンス修正装置と、
を含む信号スプリッタ装置。
【請求項２８】
請求項２７に記載の信号スプリッタ装置であって、前記フィルタ装置が、前記信号の４次の楕円フィルタを生成するように配置された複数のインダクタおよびコンデンサを含む信号スプリッタ装置。
【請求項２９】
請求項２７または２８に記載の信号スプリッタ装置であって、前記インピーダンス修正装置が少なくとも１つのＲＬＣ並列ネットワークを含む信号スプリッタ装置。
【請求項３０】
請求項２９に記載の装置であって、前記少なくとも１つのＲＬＣネットワークが、予め決められた信号帯域で正相インピーダンスを生成するように適合した装置。
【請求項３１】
請求項２８に記載の装置であって、前記複数のインダクタおよびコンデンサが、それぞれ４個のインダクタおよび３個のコンデンサを含み、前記４個のコンデンサのうち２個は、前記スプリッタ装置の回線側と拡張側との端子間に形成された２つの並列電流経路の各々の中に直列に配され、かつ前記３個のコンデンサは前記２つの電流経路間のブリッジ・コンデンサとして機能する装置。
【請求項３２】
電気通信加入者側システムであって、
第１および第２の信号成分を有する信号を搬送するように適合した電気通信回線を有し、該電気通信回線が複数の拡張を有し、
複数の信号調整装置を有し、該信号調整装置のそれぞれは、
前記電気通信回線の前記拡張のそれぞれ対応するものとの間でインタフェースを取るように適合した第１端子を有し、
１つの拡張デバイスとのインタフェースを取るように適合した第２端子を有し、
前記第１および第２端子と電気的に通信する信号フィルタ装置を有し、
少なくとも前記信号フィルタ装置と電気的に通信する動的スイッチング装置を有し、該動的スイッチング装置は、前記フィルタ装置を流れる電流に応じて前記信号フィルタ装置の構成を選択的に変更するように適合し、かつ
前記第２端子の対応するものと電気的に通信する複数の拡張デバイスを有し、
前記システムは、前記拡張デバイスの少なくとも１つに存在するオフ・フック（ｏｆｆ  ｈｏｏｋ）状態が前記電気通信信号の前記第１成分に比べて拒絶帯域特性を増大させる結果となるように構成された、電気通信加入者側システム。
【請求項３３】
請求項３２に記載のシステムであって、前記信号調整装置が、更に、前記第１端子と電気的に通信し、かつ前記信号の前記第２成分に関する反射損失を変更するように適合したインピーダンス修正装置を含むシステム。
【請求項３４】
電気通信加入者側システムであって、
第１および第２の信号成分を有する信号を搬送するように適合した電気通信回線を有し、
前記電気通信回線と結合して動作する複数の信号調整回路を有し、前記信号調整回路の各々は、
フィルタ回路と、
前記第２信号成分に関する反射損失を制御するように適合したインピーダンス修正回路と、
前記第１成分に関する拒絶帯域損失を制御するように適合した動的スイッチング回路と、
前記信号調整回路に結合して動作する複数の拡張デバイスと、
を含む電気通信加入者側システム。
【請求項３５】
請求項３４に記載のシステムであって、前記フィルタ回路が４次の楕円フィルタを含むシステム。
【請求項３６】
請求項３５に記載のシステムであって、前記インピーダンス修正回路が、前記フィルタ回路内に配された少なくとも１つのＲＬＣネットワークを含むシステム。
【請求項３７】
電気通信加入者側システムであって、
第１および第２の信号成分を有する信号を搬送するように適合した電気通信回線を有し、
前記電気通信回線と結合して動作する複数の信号スプリッタ回路を有し、該信号スプリッタ回路の各々は、
高次フィルタ回路と、
前記第２信号成分に関する反射損失を制御するように適合したインピーダンス修正回路と、
前記信号調整回路に結合して動作する複数の拡張デバイスと、
を含む電気通信加入者側システム。
【請求項３８】
請求項３７に記載のシステムであって、前記高次フィルタ回路が４次の楕円フィルタを含み、かつ前記インピーダンス修正回路が前記フィルタ回路内に配された少なくとも１つのＲＬＣネットワークを含むシステム。
【発明の詳細な説明】
【技術分野】
【０００１】
本発明は概して電気通信応用で使用される電子機器に関するものであって、更に詳細には、進歩したフィルタおよびスプリッタ装置と、デジタル加入者回線（ＤＳＬ）または類似の電気通信システムで使用するための方法に関する。
【背景技術】
【０００２】
今日、非対称デジタル加入者回線（ＡＤＳＬ）導入はほとんどの場合、“自己導入（ｓｅｌｆ−ｉｎｓｔａｌｌ）”として知られたものであるか、あるいは特別に電話機（ファックス、留守番電話（ａｎｓｗｅｒｉｎｇ  ｍａｃｈｉｎｅ）等を含む）を回線およびＡＤＳＬ信号経路から分離するために、各々の電話機にマイクロ・フィルタあるいはインラインの電話機フィルタを加入者が導入する場合である。図１はそのようなインライン・フィルタの典型的な導入の様子を示す。
【０００３】
自己導入可能なマイクロ・フィルタは、主としてそれがＤＳＬ特性を保護および保存するが、同時に音声帯域（ｖｏｉｃｅ  ｂａｎｄ）の特性には無視しうる影響しか与えるべきでないためにＤＳＬ帯域で十分な拒絶帯域（ｓｔｏｐ  ｂａｎｄ）を有しなければならないという理由のために挑戦に値する設計である。
【発明の開示】
【発明が解決しようとする課題】
【０００４】
図１ａはＤＳＬ応用に使用される典型的な従来技術のインライン・フィルタ構成を示す。しかし、そのような従来技術のフィルタ設計は、反射損失（ｒｅｔｕｒｎ  ｌｏｓｓ）およびＤＳＬ拒絶帯域に関して、電気通信顧客の要求をいくつか満たさないことがしばしばある。１つの重大な問題はＤＳＬ拒絶帯域に要求される全容量が電話機の上側帯に過剰なサイド・トーン（ｓｉｄｅ  ｔｏｎｅ）をも作り出すことであり、これは非常に望ましくない結果をもたらす。更に、反射損失問題は、加入者電話機の各々に対してマイクロ・フィルタがより多く追加されるに従って悪化する。
【０００５】
英国（ＵＫ）および欧州でのフィルタ回路仕様はより厳しい。これに関する１つの重要な課題は、非常に高い音声帯域の反射損失を提供しつつ、３０ｋＨｚの拒絶帯域を提供することである。
【課題を解決するための手段】
【０００６】
以上に基づいて、デジタル加入者回線（ＤＳＬ）信号をフィルタリングするための進歩した装置および方法が必要である。そのような進歩した装置および方法は、（ｉ）加入者によって容易に導入および組み込みが可能で、（ｉｉ）既存の電気通信および電力ラインまたはそのいずれかのインフラストラクチャを活用でき、（ｉｉｉ）回路性能のその他の特性に犠牲を与えずに、強化された拒絶帯域および反射損失特性を提供し、更に、（ｉｖ）複数の異なる応用および汎用の電気通信仕様と互換可能および適用可能またはそのいずれかであって、それにより、とりわけ最大の製造柔軟性を提供するものとなろう。
【０００７】
本発明は、進歩したデジタル加入者回線通信フィルタおよびスプリッタ装置と、それらを動作させる方法を提供することによって、上述の需要に応える。
【０００８】
本発明の第１の態様では、電気通信応用で使用するための進歩したインライン信号フィルタ装置が開示されている。１つの実施の形態では、この応用は非対称デジタル加入者回線（ＡＤＳＬ）および複数の拡張ジャックを有する関連する電気通信配線を含み、また本装置は、拡張ジャック（例えば、壁面の差込口）と加入者に付随する拡張デバイス（電話機、留守番電話等）との間に挿入された１または複数の動的フィルタ回路を含んでいる。各フィルタ回路は入力部分、インピーダンス修正部分、および動的応答部分を含む。１つの例示的変形では、本回路は、入力区分に複数の直列インダクタを含み、インピーダンス修正部分にはインダクタと並列につながれた複数の並列ＲＬＣネットワークを含む４次のフィルタを含んでいる。動的回路要素（例えば、回路内の１または複数のインダクタと磁気的に結合したリード・スイッチ）が使用されて、その拡張デバイスが例えば“オン・フック（ｏｎ  ｈｏｏｋ）”から“オフ・フック（ｏｆｆ  ｈｏｏｋ）”へ状態を変化させるときに、構成、従って回路の応答を変化させる。例えば、拡張デバイスがオフ・フックになると、関連するフィルタ回路はそれの容量を他のオン・フック拡張デバイスに比べて大きく動的に増大させ、それによって強化された信号特性を提供する。更に、動的回路要素をリンギング（ｒｉｎｇｉｎｇ）電圧から保護するために、電圧を許容可能なレベルにクランプするための保護要素（例えば、ツェナー・ダイオードやバリスタ）が回路内に採用されている。
【０００９】
本発明の第２の態様では、上述の回路は、マスター・ジャック配線を有する応用で使用するための進歩した信号スプリッタ装置として機能するように適合している。このスプリッタ装置は上述の入力およびインピーダンス修正部分を含むが、回路の動的部分は含まない。インピーダンス修正部分は高次（例えば、４次楕円）のフィルタと組み合わされて、既存の従来技術設計と比べて強化されたスプリッタ特性を提供する。
【００１０】
本発明の第３の態様では、先に引用したような回路を用いて電気通信信号を調整する進歩した方法が開示される。１つの実施の形態では、本方法は一般に、第１および第２の両成分を有する電気通信信号を提供すること、信号の少なくとも一部をフィルタリングすること、および回路の少なくとも一部を流れる電流の大きさに少なくとも部分的に基づいて回路の容量を動的に変化させることを含む。別の実施の形態では、本方法は、更に、信号の反射損失を変更することによって、回路（およびシステム）の性能を強化するために、回路のインピーダンスを選択的に調節することを含む。
【００１１】
本発明の第４の実施の形態では、先に述べた進歩したフィルタまたはスプリッタ装置を採用する電気通信システム・アーキテクチャが開示されている。１つの実施の形態では、本システムは、（ｉ）加入者サイトに複数の拡張を有し、音声およびＤＳＬ成分を搬送する電気通信回線、（ｉｉ）拡張の各々と相互接続された複数のフィルタまたはスプリッタ回路、および（ｉｉｉ）フィルタ回路の各々につながれた複数の拡張デバイス（例えば、電話機、留守番電話等）を含む。
【００１２】
本発明の特徴、目的、および利点は、以下に提示した詳細な説明を添付図面とともに参照することによってより明らかになろう。
【実施例】
【００１３】
ここで、図面を参照するが、図面では同様な参照符号は同様な部品を指す。
【００１４】
ここで使用する用語“信号調整”あるいは“調整”は、信号電圧変換、フィルタリングおよびノイズ削減、信号スプリット、インピーダンス制御および修正、電流制限、容量制御、および時間遅延を含むが、これらに限定されないと理解されるべきである。
【００１５】
注意すべき点は、以下の説明は電気通信技術分野で良く知られたＲＪタイプのコネクタとそれに関連するモジュラー・プラグに関して行なわれるが、本発明は任意の複数のその他異なるタイプのコネクタに関しても適用できるということである。従って、以下の議論は広い概念のうちのほんの一例である。
【００１６】
更に、ここで使用される用語“サイト”あるいは“加入者サイト”は、住居、アパート、オフィス、およびビジネスを制限なく含む、電気通信回線サービスを提供される任意の場所（あるいは一群の場所）を含むべきである。
【００１７】
最後に、ここで使用される用語“拡張デバイス（ｅｘｔｅｎｓｉｏｎ  ｄｅｖｉｃｅ）”は、従来の電話機、留守番電話、ファクシミリ、無線あるいは衛星受信機、および多重回線電話機を制限なく含む、既存の電気通信回線上での使用に互換の任意の型の電気通信装置を含むことを意味する。
【００１８】
（概観）
本発明は、電気通信回線上の不適切な拒絶帯域および音声帯域特性の問題を、（ｉ）付随する拡張デバイスの動作状態に依存して状態を変えられる“動的”フィルタ構成、および（ｉｉ）特に、強化された反射損失特性を提供するインピーダンス修正回路、を有利な形で提供することによって解決する。特に、音声およびＤＳＬ信号成分を有する電気通信回線の場合は、回線上の電話機の１つが“オフ・フック”に移行すると（典型的には、任意の時点でオフ・フックにあるのは１つの電話機のみ）、オフ・フック・フィルタの動的回路はそれの容量を増大させるが、他方では同じ回線上のその他の“オン・フック”の電話機はオフ・フック回路と比べて低い容量に留まる。この動的な容量特徴は既存の応用と互換で、許容される。それは強化されたＤＳＬ拒絶帯域を必要とする主な理由がオフ・フック電話機に対応しており、電話機に極性が存在することがダイオード・ブリッジを保護するからである。ＤＳＬの高レベルのアップ・ストリームのエネルギーは、オフ・フック電話機においてこのダイオード・ブリッジをオーバー・ドライブする可能性があり、それに従って、望ましくない混変調歪を生成する可能性がある。従って、そのようなオーバー・ドライブ状態を防止するために、強化されたＤＳＬ拒絶帯域が必要とされる。電話機やその他の拡張デバイスがオン・フックになるときは、ダイオード・ブリッジは回路から取り除かれて、必要とされるフィルタＤＳＬ拒絶帯域減衰は少なくなる。従って、オン・フック電話機に付随するフィルタ回路には非常にわずかな容量を採用することができる。これにより、オフ・フック電話機は比較的大きい容量を持つことができ、そのため動的フィルタはスプリッタに近い特性を有することができる。
【００１９】
更に、本発明のフィルタおよびスプリッタ回路は、音声帯域の反射損失および電話機側のサイド・トーンを改善するために新規なインピーダンス修正回路を回路の回線側に含んでおり、従って広く行き渡っている欧州電気通信規格および目的をサポートする。
【００２０】
（フィルタ回路の説明）
ここで図２を参照しながら、本発明の動的マイクロ・フィルタ構成の第１の実施の形態について説明する。図２の実施の形態は英国（ＵＫ）で使用する場合の仕様に合致するように適合した例示的設計を含むが、本発明の動的フィルタは、適切な部品の選択および構成を通して、ここでは図３の応用（スウェーデンでの使用に適合）やその他の国での文字通り任意の応用に対して適合させることができることを理解されよう。そのような代替の応用および適合化は本開示に基づいて当業者には容易に決定可能であり、従ってここではこれ以上説明しない。
【００２１】
更に、以下の議論は回路を構成するために使用される複数の個別電気部品（すなわち、抵抗、インダクタ、コンデンサ、スイッチ等）に関して行なうが、集積された部品（例えば集積回路）や、必要な機能および電気特性を有するその他の型の部品の形で回路の一部を構成することができることも理解されよう。
【００２２】
図２に示すように、フィルタ回路２００は、一般に、複数の入力端子（回線側ジャック）２０４および２つの入力インダクタ２０６，２０８を有する入力区分２０２を含む。出力区分２２０は２つの付加的インダクタ２２４，２２６（Ｌ３，Ｌ４）と３つのコンデンサ２２７，２２８，２３０（Ｃ４，Ｃ９，Ｃ６）とを含む。フィルタの入力インダクタ（Ｌ１，Ｌ２）２０６，２０８は回線側ジャック２０４につながれ、他方、フィルタの容量性出力区分２２０がフィルタの電話機側ジャック２４０につながれている。回線側および電話機側ジャック２０４，２４０は英国で普通に使用されているＵＫ型のモジュラー・ジャックであるが、その他の型のモジュラー・プラグおよびコネクタで置き換えることができることは理解されよう。フィルタ２００は、更に、ＤＳＬジャック２５０を含み、それは図示された実施の形態ではＲＪ−１１型のＤＳＬジャックを含むが、その他のもので同様に置き換えることができる。ＤＳＬジャック２５０は電気経路２５２を経て直接的に回線側ジャック２０４（またはプラグ）に通じており、それによって便利なＤＳＬまたは家庭電話網（ＨＰＮ）ジャックを提供している。
【００２３】
図２の回路によって提供される基本的なフィルタは４次楕円の低域通過フィルタで、それは２つの入力インダクタ２０６，２０８（Ｌ１，Ｌ２）、２つの出力区分インダクタ２２４，２２６（Ｌ３，Ｌ４）、および３つのブリッジ・コンデンサ２２７，２２８，２３０（それぞれＣ４，Ｃ９およびＣ６）を含む。入力インダクタ２０６，２０８はＤＳＬ回路へのローディングを防止するために必要な入力インダクタンスを提供し、他方、出力区分２２０中の２つのコンデンサ２３４，２３６（Ｃ１，Ｃ７）が出力インダクタ２２４，２２６（Ｌ３，Ｌ４）に加わって、３０ＫＨｚオーダーの共鳴を起こすようになっているが、その他の抵抗と容量値を選んで、違う共鳴周波数を得るようにすることもできることについては理解されよう。従って、図２の実施の形態は４次の楕円フィルタであり、鋭い３０ＫＨｚのカット・オフを示す。楕円型の拒絶帯域の特徴は合計の容量を典型的には＜４０ｎＦ（すなわち、＜４０Ｅ−０９ファラッド）に最小化する設計を可能とし、それによって電話機の音声帯域特性に対する容量の影響を最小化できる。
【００２４】
（動的部品）
フィルタ２００を動的なものとし、各電話機に対して多重フィルタを加入者が自分で導入できるようにするために、オン・フック（アイドル状態）の電話機についてフィルタ容量の大半を取り除くために２つのリード・スイッチ２６２，２６４（Ｋ１，Ｋ２）が追加される。図２の実施の形態では、リード・スイッチ２６２，２６４は両方とも、それぞれ２００１年１月３０日および２００１年４月３日付けで本出願の譲受人に譲渡された、“インピーダンス・ブロッキング・フィルタ回路（Ｉｍｐｅｄａｎｃｅ  Ｂｌｏｃｋｉｎｇ  Ｆｉｌｔｅｒ  Ｃｉｒｃｕｉｔ）”と題する米国特許第６，１８１，７７７号および第６，２１２，２５９号に述べられたように、二重インダクタ２７０（Ｌ５Ａ）に磁気的に結合している。詳細には、リード・スイッチ２６２，２６４は、それらがインダクタの巻線に物理的に接近し、従ってそれによって発生する磁場と結合することによって二重インダクタ２７０と結合する。
【００２５】
図２ａおよび２ｂは、図２の回路と互換で、二重インダクタ２７０およびリード・スイッチ２６２，２６４を含む二重インダクタ／リード・スイッチ・デバイス２６６に関する例示的構成を示す。インダクタ／リード・スイッチ・デバイス２６６は円筒形の容器２６７として形成されて、二重インダクタ２７０と、２つのリード・スイッチ２６２，２６４とを含む。当業者には明らかなように、二重インダクタ／リード・スイッチ・デバイス２６６は２つの単一インダクタ／スイッチ・ユニット（図示されていない）で置き換えて同じ機能を持たせることもできる。例示した実施の形態では、リード・スイッチ２６２，２６４は、それらの長軸をボビン２６８と本質的に平行に保った状態で、水平方向にずらして配置されている。この構成はインダクタ２７０の巻線とそれを動作させるスイッチとの間で上述の磁気的結合を提供する。図２ａ−２ｂのデバイス２６６は、予め決められたループ電流閾値（例えば、約６−１６ｍＡ）で駆動されるように選ばれる。もしループ電流閾値が低すぎれば、リード・スイッチ（単数または複数）は回路動作中にチャタリングを起こし、スイッチ（単数または複数）の有効寿命を短縮する。他方、もしループ電流閾値が高すぎれば、ループ電流量は最悪の場合、スイッチ（単数または複数）を駆動するには不足する。
【００２６】
図２ｃおよび図２ｄは本発明に従う二重巻線インダクタ／リード・スイッチ・デバイス２６６の第２の実施の形態を示す。この実施の形態で、リード・スイッチ２６２，２６４は巻線の内側領域内で中心方向にずらして配置されている。磁気的部品分野の当業者であれば理解されるであろうように、図２の回路と両立する二重インダクタ／リード・スイッチのために、任意の複数の物理的構成が使用できる。従って、以上の実施の形態は広範囲な概念の単なる一例にすぎない。
【００２７】
ループ電流が流れないとき（電話機がオン・フックのため）は、二重インダクタ２７０から磁場は発生せず、リード・スイッチ２６２，２６４はオープンで、それによって回路からコンデンサ２２７，２３０（Ｃ４およびＣ６）が切り離される。これによって、オン・フック・フィルタの各々についての合計の容量は、この実施の形態では約３７．７ｎＦからわずか４．７ｎＦまでに減少する。この４．７ｎＦという値は任意のオン・フック電話機の共鳴を３０ＫＨｚ以下に下げるために必要な最小の容量である。更に、リード・スイッチ２６２，２６４をリンギング電圧、パワー・クロス・電圧、および落雷による過渡的電圧から保護するために、図２に示すようにリード・スイッチ２６２，２６４の両端に２つのツェナー・ダイオード２７６，２７８（Ｄ１，Ｄ２）がつながれて、ピーク電圧を１２Ｖ未満にクランプする。例示した実施の形態の単一ダイオード２７６，２７８は、コンデンサがダイオードと直列につながって、ＡＣ信号が存在するときに単一ダイオードを自己バイアスするため、満足できる動作を行なう。あるいは、上述のダイオード構成を二重の逆向きに接続した６−１２ボルトのツェナー・ダイオードで、あるいはもっと低い容量のバリスタで置き換えてもよい。デバイス内に最小の容量を提供するというここでの目的に沿った、そのような部品の構造と選択はエレクトロニクス分野では良く知られており、従ってここでこれ以上説明することはしない。
【００２８】
リード・スイッチが閉じたときに、Ｃ９コンデンサ２２８およびＣ４コンデンサ２２７（およびＣ１，Ｃ７コンデンサ２３４，２３６）を通して流れるスイッチング電流のスパイクからリード・スイッチ２６２，２６４を保護するために、Ｃ４およびＣ６コンデンサ２２６，２３０と直列に２つの抵抗２８０，２８２（Ｒ５，Ｒ６）が追加されて、スイッチング電流をスイッチの最大電流定格より低く制限する。Ｒ５，Ｒ６の抵抗値は十分低く選ばれて、フィルタの拒絶帯域特性に重大な影響を与えないようにしている。
【００２９】
（インピーダンス修正）
上記のフィルタ２００の動的部品をまとめても、先に述べた欧州／英国規格の要求を満たすのに十分な反射損失改善を提供するのには不十分である。この問題に対処するために、二重インダクタ２７０（Ｌ５Ａ，Ｌ５Ｂ）、並列ネットワーク・コンデンサ２９０，２９２（Ｃ２，Ｃ３）、および並列ネットワーク抵抗２９４，２９６（Ｒ４およびＲ１）を含む共鳴インピーダンス修正回路が、２−３ＫＨｚ帯で正相インピーダンスを加えることによって音声帯域の反射損失を１０ｄｂに更に改善する。二重インダクタ２７０（Ｌ５Ａ，Ｌ５Ｂ）は二つの目的を持つ、先に述べたようにオフ・フック時にリード・スイッチを駆動することに加えて、二重インダクタ２７０は（ネットワーク・コンデンサＣ２，Ｃ３  ２９０，２９２と組み合わされて）回線入力と直列になった差分共鳴インピーダンスを構成する。並列ネットワーク抵抗２９４，２９６（Ｒ３，Ｒ４）はこのインピーダンスを共鳴時に約２００オームに制限し、それによって最大の挿入損失を許容可能なレベル（すなわち、２ｄｂのオーダー）に制限する。
【００３０】
図２の回路２００は、更に、電話機ジャック２４０のピン４と５との間に１マイクロファラッドのリンギング・コンデンサ２９１（Ｃ１０）を備えている。英国での応用に使用されるフィルタは、３線式の電話機を鳴らす方式でそのようなコンデンサを必要とする。しかし、理解されるように、このコンデンサは本発明のフィルタ回路が使用される応用に依存するオプションである。
【００３１】
更に注意すべき点は、図２の回路２００の実施の形態、は有利なことに、例えば多くの従来技術設計で一般に使用される二重ＥＰ１３型のインダクタの代わりに、各種の回路インダクタ２０６，２０８，２２４，２２６（Ｌ１，Ｌ２，Ｌ３，Ｌ４）のための分離した誘導性コイルを使用する。この構成は差分インピーダンスのほかに、長手方向のブロッキング・インピーダンスを提供し、それはいくつかの応用（例えば、欧州電気通信規格を含む）で要求されるものである。伝統的なＥＰベースの設計は等価的に長手インピーダンスを持たないので、付加的なコイルが必要とされる。付加的なコイルは追加のＤＣ抵抗を加えるため、追加された抵抗を補償するためにより大きいコイルがしばしば必要となり、それによってフィルタに関する価格およびスペース要求が増大する。これとは対照的に、本発明の分離したコイル設計では、長手コイルを追加したり、あるいはフィルタのインダクタ寸法を大きくしたりする必要はない。例示した実施の形態では、本出願の譲受人によって製造されたような二重ボビンの二重シールド・インダクタが、リード・スイッチを駆動する磁場を提供するとともに、上述の長手方向のインピーダンスを提供できる。それらの二重ボビン、二重インダクタの構造および動作については、上述の出願に詳細に述べられ、本出願のこれまでの節に具体的に示されている。しかし、先に言及した二重ボビン、二重シールド型以外のインダクタ／インピーダンスを図２の回路２００に使用してもうまくいくことがあることを理解されよう。例えば、上述のＥＰ型のインダクタを置き換えることができる。しかし、追加したコイル、ＤＣ抵抗、およびインダクタ・コイルのサイズに付随する欠点が伴う可能性がある。
【００３２】
ここで図３を参照しながら、本発明の進歩したマイクロ・フィルタ装置の第２の実施の形態について説明する。この第２の実施の形態３００は、特に、現在スウェーデンで使用されているようなマスター・ジャック配線をも有する単一スプリッタ応用に有用である。図３に示すように、回線ジャック３０２および電話機ジャック３０４はスウェーデンの２線システムとのインタフェースとなるように構成されている（これは、図２の回路２００に具体化されたような、英国での４線式変形とは対照的である）。英国電話機ジャックのピン４と５との間の１マイクロファラッドのリンギング・コンデンサ２９１（Ｃ１０）もまた、本実施の形態では省かれている。更に、図３の実施の形態では、図２の回路２００のリード２６２，２６４およびダイオード２７６，２７８は取り外されて、回路短絡３０６，３０８で置き換えられている。非動的フィルタ３００はスプリッタとして機能し、家庭やその他の導入サイトに自己導入スプリッタとして位置するマスター・ジャックに単に差し込めばよい。図２に関連して先に述べたように、回路のインピーダンス修正部分３２０は優れた反射損失特性を備えたスプリッタを生成する。
【００３３】
（容器）
ここで図４ａ−４ｃを参照しながら、本発明のフィルタまたはスプリッタ回路２００，３００を受け入れるように適合したフィルタ容器の１つの実施の形態について説明する。容器４００はポリマー製のベース板４０２（例えば、ＡＢＳプラスティック）とカバー４０４とを含み、これらが一体となってキャビティ（図示されていない）を構成しており、その中にフィルタ／スプリッタ回路２００，３００が収容される。回路はキャビティに収容された回路板４０３上に取り付けられて、容器を組み上げたときにベース板４０２とカバー４０４とによって固定されるようになっている。例示した実施の形態（英国用に適合したもの）では、容器４００は、更に、容器カバー４０４の前面側および裏面側４２２，４２４に形成されたアパーチャ４１０，４１２，４１４内にそれぞれ設けられた２端子または４端子の回線側プラグまたはジャック２０４、２または４端子の電話機側プラグまたはジャック２４０、およびＲＪ−１１型ＤＳＬジャック２５０を含む。図３の回路の場合は、４端子ジャック２０４，２４０は２端子ジャックで置き換えられよう。あるいは、容器（および付随するフィルタ／スプリッタ回路）は、３つのＲＪ−１１型ジャック、２つのＲＪ−４５型ジャック、およびＲＪ−１１型ＤＳＬジャック、あるいは任意の複数のその他当業者には明らかな置換で以て構成することができよう。
【００３４】
容器は文字通り任意の向きに搭載することができ、また構成も、例えば、壁に取り付けるユニットや、“自由に移動できる”（すなわち、固定されていない）インライン型ユニットを含む望みの構成とすることができる。更に理解されるであろうが、容器（およびフィルタ回路）はその他の構成に適合させることができ、それには二重ジャック容器、コードおよび多重ジャック容器、あるいはコードおよび単一ジャック容器などが含まれる。容器およびフィルタ／スプリッタ回路またはそのいずれかは連動させることもできる。更に、必要であれば、電気的雑音および物理的空間制限に関して整合性のあるその他の信号調整装置（上述の回路との間のインタフェースは電気的でも物理的でも、そうでなくても構わない）を容器に含めることができる。
【００３５】
（システム）
ここで図５を参照しながら、先に述べたフィルタ（単数または複数）を採用した電気通信アーキテクチャをここに開示する。図５に示すように、進歩したアーキテクチャ５００は、（ｉ）ＤＳＬおよび音声信号を１または複数の遠隔端末５０４に運ぶように適合した電気通信回線５０２、（ｉｉ）加入者がアクセスできる複数の拡張（ジャック）５０８を含むローカル（サイト）電気通信インフラストラクチャ５０６、（ｉｉｉ）ジャック５０８の対応するものとの間で電気的インタフェースを有する複数のフィルタ（またはスプリッタ）回路５０１、および（ｉｖ）フィルタ回路５０１の対応するものとの間で電気的インタフェースを有する複数の拡張デバイス５１０を含む。例示した拡張デバイス５１０は、標準的な電話機５１０ａ、留守番機能付電話機５１０ｂ、ファクシミリ５１０ｃ、ＤＳＬモジュレータ／デモジュレータ装置５４０を備えたパーソナル・コンピュータ（ＰＣ）５１０ｄ、および無線インタフェース５１０ｅを含むが、その他の型のデバイスおよび組合せを使用することもできる。個別のフィルタ回路５０１はここでは図４に示す型の対応する容器に収容され、例えば、拡張ジャック５０８、フィルタ回路５０１、および拡張デバイス５１０間にモジュラー・ジャック接続を使用することを通して加入者による自己導入が可能となっている。
【００３６】
既に述べたように、図２の動的フィルタ回路２００の場合は、拡張デバイス５１０ａ−ｃのうちの１つにオフ・フックが存在することによってループ電流が生成されて、それがリード・スイッチの位置を変更し、それによってその拡張デバイスに付随する電気通信拡張ジャック５０８において見える等価的容量を増やす。これは、有利なことに、オフ・フックのフィルタ回路がスプリッタに近い特性を有することを可能にする。
【００３７】
更に注意すべき点は、非マスター・ジャックの設備あるいは家庭に対しては、分散型の動的フィルタが使用されるであろうということである。
【００３８】
以上の詳細な説明は、各種の実施の形態に応用される場合の本発明の特徴を示し、記述し、また指摘してきたが、例示した装置またはプロセスの詳細および形態に対して各種の省略、置換、および変更が、本発明から離れることなく当業者によってなし得ることを理解されよう。以上の説明は本発明を実施することによって実現可能な最良のモードである。この説明は如何なる意味でも限定するものではなく、むしろ本発明の一般的原理の例示であると捉えるべきである。本発明のスコープは特許請求の範囲を基準にして決定すべきである。
【図面の簡単な説明】
【００３９】
【図１】複数の電話拡張に導入された従来技術のマイクロ・フィルタを含む家庭や小規模ビジネス環境での典型的な従来技術ＡＤＳＬ導入のブロック図。
【図１ａ】図１に示す従来技術のＤＳＬマイクロ・フィルタの模式図。
【図２】複数端末の電気通信ジャックおよび拡張デバイスと一緒に使用するように適合した本発明の動的マイクロ・フィルタ回路の例示的実施の形態の模式図。
【図２ａ】図２のフィルタ回路に使用するための、二重巻線インダクタ／リード・スイッチ・デバイスの第１の実施の形態の上面図。
【図２ｂ】図２ａの二重巻線装置の側立面図。
【図２ｃ】図２の回路に使用するための、二重巻線インダクタ／リード・スイッチ・デバイスの第２の実施の形態の端面図。
【図２ｄ】図２ｃの二重巻線インダクタ・デバイスの側立面図。
【図３】マスター・ジャック配線を有する応用にスプリッタとして使用するように適合した本発明のフィルタ回路の第２の実施の形態の模式図。
【図４ａ】図２および３のフィルタ回路と一緒に使用されるフィルタ容器の例示的実施の形態の、上面図。
【図４ｂ】図２および３のフィルタ回路と一緒に使用されるフィルタ容器の例示的実施の形態の、前面図。
【図４ｃ】図２および３のフィルタ回路と一緒に使用されるフィルタ容器の例示的実施の形態の、背面図。
【図５】動的フィルタ回路を含む本発明の電気通信システム・アーキテクチャの例示的実施の形態を示すブロック図。
【図１】
2005510186.tif 000003
【図１ａ】
2005510186.tif 000004
【図２】
2005510186.tif 000005
【図２ａ】
2005510186.tif 000006
【図２ｂ】
2005510186.tif 000007
【図２ｃ】
2005510186.tif 000008
【図２ｄ】
2005510186.tif 000009
【図３】
2005510186.tif 000010
【図４ａ】
2005510186.tif 000011
【図４ｂ】
2005510186.tif 000012
【図４ｃ】
2005510186.tif 000013
【図５】
2005510186.tif 000014
【手続補正書】
【提出日】平成16年6月7日(2004.6.7)
【手続補正１】
【補正対象書類名】特許請求の範囲
【補正対象項目名】全文
【補正方法】変更
【補正の内容】
【特許請求の範囲】
【請求項１】
拒絶帯域および音声帯域の反射損失特性の要求に合致するように適合した電気通信信号調整装置であって、
第１の電気通信回線とインタフェースを取るように適合した第１端子を有し、前記電気通信回線は第１および第２の成分を有する信号を搬送するのに適合し、
拡張デバイスとインタフェースを取るように適合した第２端子を有し、
前記第１端子と電気的に通信し、かつ前記信号の前記第２の成分に関する反射損失を変更するように適合したインピーダンス修正装置を有する、
電気通信信号調整装置。
【請求項２】
請求項１に記載の信号調整装置であって、更に、前記第１および第２端子と、前記インピーダンス修正装置と電気的に通信する４次楕円信号フィルタ装置を含む信号調整装置。
【請求項３】
請求項２に記載の信号調整装置であって、更に、少なくとも前記信号フィルタ装置と電気的に通信する動的スイッチング装置を有し、該動的スイッチング装置は前記信号フィルタ装置の構成を選択的に変更するように適合した信号調整装置。
【請求項４】
請求項２に記載の信号調整装置であって、前記動的スイッチング装置が、前記信号フィルタ装置内の少なくとも１つの回路要素に磁気的に結合している複数のリード・スイッチを含む信号調整装置。
【請求項５】
請求項３に記載の信号調整装置であって、前記信号フィルタ装置の構成の選択的変更は、前記信号フィルタ装置を流れる電流に応じて少なくとも部分的に決定される信号調整装置。
【請求項６】
請求項３または５に記載の信号調整装置であって、前記信号フィルタ装置の構成の前記選択的変更が、前記フィルタ装置の容量を、前記電話回線と通信するその他の拡張デバイスのそれよりも大きさで大幅に上回る値に増大させる信号調整装置。
【請求項７】
請求項３に記載の信号調整装置であって、更に電圧保護装置を有し、該電圧保護装置は前記電気通信信号調整装置内に存在する過渡的電圧から前記動的スイッチング装置を保護するように適合した信号調整装置。
【請求項８】
請求項７に記載の信号調整装置であって、前記電圧保護装置が、前記動的スイッチング装置の対応するものと電気的に並列に配された複数のツェナー・ダイオードを含む信号調整装置。
【請求項９】
請求項２に記載の信号調整装置であって、前記インピーダンス修正装置が、少なくとも１つのＲＬＣ並列ネットワークを含む信号調整装置。
【請求項１０】
請求項９に記載の信号調整装置であって、前記少なくとも１つのＲＣＬネットワークが予め決められた信号帯域内で正相インピーダンスを生成するように適合した信号調整装置。
【請求項１１】
請求項１０に記載の信号調整装置であって、前記予め決められた信号帯域がほぼ２−３ＫＨｚを含む信号調整装置。
【請求項１２】
請求項２に記載の信号調整装置であって、前記信号フィルタ装置が複数のインダクタを含み、該インダクタの各々はそれぞれに対応するコイルを有する信号調整装置。
【請求項１３】
請求項２に記載の信号調整装置であって、前記信号フィルタ装置が二重ボビンで磁気的にシールドされた複数のインダクタを含む信号調整装置。
【請求項１４】
請求項１に記載の信号調整装置であって、前記回線は更に複数の他の拡張を含み、前記装置が更に、
前記第１および第２の端子と電気的に通信する信号フィルタ装置を有し、
少なくとも前記信号フィルタ装置と電気的に通信する動的スイッチング装置を有し、該動的スイッチング装置は前記フィルタ装置を流れる電流に応じて前記信号フィルタ装置の構成を選択的に変更するように適合し、かつ
前記調整装置が、前記拡張デバイス内に存在するオフ・フック状態により前記電気通信信号の前記第１成分に対する拒絶帯域特性が増大させる結果となるように構成された、
信号調整装置。
【請求項１５】
請求項１４に記載の信号調整装置であって、前記信号フィルタ装置が４次の楕円フィルタを含む信号調整装置。
【請求項１６】
請求項１に記載の信号調整装置であって、更に、入力区分および出力区分を有し、該入力区分および出力区分はそれぞれ前記第１および第２端子に電気的に結合されており、前記入力区分は更に前記インピーダンス修正装置に電気的に結合され、前記出力区分は更に前記インピーダンス修正装置に電気的に結合されている信号調整装置。
【請求項１７】
請求項１６に記載の信号調整装置であって、前記入力区分、インピーダンス修正装置および前記出力区分が、前記第１と第２の端子間にその順番で電気的に配置されている信号調整装置。
【請求項１８】
請求項１６に記載の信号調整装置であって、前記入力区分が少なくとも第１および第２のインダクタを有し、かつ前記出力区分が、それぞれの抵抗と電気的に並列になった第２および第３のインダクタを含む信号調整装置。
【請求項１９】
請求項１６に記載の信号調整装置であって、前記インピーダンス修正装置が、互いに電気的に並列に配された第１および第２のタンク（ＲＬＣ）回路を含む信号調整回路。
【請求項２０】
請求項１６に記載の信号調整装置であって、前記インピーダンス修正回路が更に第１のリード・スイッチを有し、かつ前記出力区分が更に第２のリード・スイッチを有し、前記第１および第２のリード・スイッチの少なくとも１つが、フック状態の変化時にそれに付随の対応するコンデンサを選択的にスイッチの投入および開放するように適合した信号調整装置。
【請求項２１】
請求項２０に記載の信号調整装置であって、更に、前記第１および第２のリード・スイッチの対応するものと電気的に並列に配された少なくとも第１および第２のダイオードを含む信号調整装置。
【請求項２２】
請求項２１に記載の信号調整装置であって、前記少なくとも第１および第２のダイオードの少なくとも１つが逆向きに接続されたツェナー・ダイオード構成を含む信号調整装置。
【請求項２３】
請求項２０に記載の信号調整装置であって、更に、前記リード・スイッチの少なくとも１つと直列に配置された電気抵抗を含む信号調整装置。
【請求項２４】
請求項１６に記載の信号調整装置であって、前記入力および出力区分の少なくとも１つが前記インピーダンス修正装置と協働して、予め決められた周波数範囲で少なくとも３０ＫＨｚ拒絶帯域および正相インピーダンスを生成する信号調整装置。
【請求項２５】
請求項１６に記載の信号調整装置であって、前記入力および出力区分の少なくとも１つが前記インピーダンス修正装置と協働して、少なくとも（ｉ）３０ＫＨｚの拒絶帯域、および（ｉｉ）前記電話回線上の他の拡張デバイスと比べて大幅に増大したオフ・フック容量を生成する信号調整装置。
【請求項２６】
予め決められた拒絶帯域および音声帯域反射損失の両方の特性要求に合致するように自己導入回路を流れるデジタル加入者回線（ＤＳＬ）信号を調整する方法であって、
前記信号の少なくとも一部をフィルタリングし、
前記回路のインピーダンスを選択的に調節して、前記信号の反射損失を変更する、工程
を含む方法。
【請求項２７】
請求項２６に記載の方法であって、更に、前記回路の少なくとも一部の容量を制御する工程を含む方法。
【請求項２８】
請求項２７に記載の方法であって、容量を制御する前記工程が、前記回路の少なくとも一部を流れる電流の大きさに基づいて容量を動的に変化させることを含む方法。
【請求項２９】
請求項２８に記載の方法であって、動的に変化させる前記工程が、前記回路内に配された複数のスイッチ要素を選択的に開閉することを含む方法。
【請求項３０】
請求項２７に記載の方法であって、前記フィルタリング工程が、４次の楕円フィルタを使って前記ＤＳＬ信号をフィルタリングすることを含む方法。
【請求項３１】
請求項２６に記載の方法であって、インピーダンスを調節する前記工程が、予め決められた信号帯域で正相インピーダンスを生成することを含む方法。
【請求項３２】
請求項３１に記載の方法であって、前記生成工程が、２−３ＫＨｚ信号帯域で正相インピーダンスを生成することを含む方法。
【請求項３３】
請求項２６に記載の方法であって、更に
前記フィルタリング工程の一部として、前記回路の少なくとも一部を流れる電流の大きさの少なくとも一部分に基づいて前記回路の容量を動的に変化させる、工程を含む方法。
【請求項３４】
請求項３３に記載の方法であって、インピーダンスを選択的に調節する工程と、容量を動的に変化させる前記工程が協働して、予め決められた周波数範囲で少なくとも３０ＫＨｚの拒絶帯域および正相インピーダンスを生成する方法。
【請求項３５】
請求項３３または３４に記載の方法であって、前記フィルタリング工程が、４次の楕円フィルタを使って前記信号をフィルタリングすることを含む方法。
【請求項３６】
少なくとも第１と第２の信号成分を有する電気通信信号と一緒に使用するための信号スプリッタ装置であって、
複数のインダクタを含み、前記電気通信信号をフィルタリングするように適合したフィルタ装置と、
前記入力フィルタ装置と電気的に通信し、かつ前記信号の前記第２の信号成分に付随する反射損失を制御するように適合し、
前記複数のインダクタの少なくとも第１および第２のものが、前記スプリッタ装置内で、それぞれ前記インピーダンス修正装置の前および後に配されている、
信号スプリッタ装置。
【請求項３７】
請求項３６に記載の信号スプリッタ装置であって、前記フィルタ装置が、更に、前記インダクタと一緒に配置されて前記信号の４次の楕円フィルタリングを行うようになった複数のコンデンサを含む信号スプリッタ装置。
【請求項３８】
請求項３６または３７に記載の信号スプリッタ装置であって、前記インピーダンス修正装置が少なくとも１つのＲＬＣ並列ネットワークを含む信号スプリッタ装置。
【請求項３９】
請求項３７に記載の装置であって、前記複数のインダクタおよびコンデンサが、それぞれ４個のインダクタおよび３個のコンデンサを含み、前記４個のコンデンサのうち２個は、前記スプリッタ装置の回線側と拡張側の端子間に形成された２つの並列な電流経路内に直列に配されており、かつ前記３個のコンデンサは前記２つの電流経路間のブリッジ・コンデンサとして機能する装置。
【国際調査報告】
2005510186.tif 000015
2005510186.tif 000016
2005510186.tif 000017
2005510186.tif 000018
2005510186.tif 000019